(57)【要約】      （修正有）【課題】炭酸ガスや水素水等の機能が付加されたシャワーを利用する場合にも、既存のシャワーヘッドをそのまま利用可能なシャワー用機能付加容器を提供する。【解決手段】シャワー用機能付加容器１０は、炭酸入浴錠剤を収容するための機能材室６６が、その一端側および他端側にそれぞれヘッド接続部１２とホース接続部１４を備えると共に、それらとの間に機能材室６６を経由する通水路が形成されていることから、機能材室６６に炭酸入浴錠剤を収容すると共に、既存のシャワーヘッドとシャワーホースとの間に接続すれば、その炭酸入浴錠剤によって炭酸ガスを含む冷温水をシャワーヘッドから吐出させることができる。したがって、既存のシャワーヘッドをそのまま使用しながら、炭酸水シャワーを利用できる利点がある。【選択図】図３
0003220073.tif 000002
【実用新案登録請求の範囲】
【請求項１】
所定の機能材を収容するための略筒状の収容部と、シャワーヘッドのホース側端部に接続するためにその収容部の一端側に備えられた略筒状のヘッド接続部と、シャワーホースの端部に接続するためにその収容部の他端側に備えられた略筒状のホース接続部とを有し、それらホース接続部とヘッド接続部との間に前記収容部内を経由する通水路が形成されていることを特徴とするシャワー用機能付加容器。
【請求項２】
前記収容部は、分離可能な前記ヘッド接続部側の上部収容部と前記ホース接続部側の下部収容部とから成り、それら上部収容部および下部収容部との結合を解除して前記所定の機能材を収容するものである請求項１のシャワー用機能付加容器。
【請求項３】
前記収容部は、前記ヘッド接続部および前記ホース接続部よりも大きい外径寸法を有するものである請求項１または請求項２のシャワー用機能付加容器。
【請求項４】
前記上部収容部および前記下部収容部は、その上部収容部のその下部収容部側の端部とその下部収容部のその上部収容部側の端部のうち一方の内周面に形成された周方向に沿って伸びる係合凸部と他方の外周面に形成された周方向に沿って伸びる係合溝とが係合することにより結合させられるものであり、それらの結合時に前記外周面に嵌め付けられた環状弾性部材が前記内周面との間で締め付けられるものである請求項２または請求項３のシャワー用機能付加容器。
【請求項５】
前記収容部は、前記ホース接続部から前記ヘッド接続部に向かう通水方向に沿って伸び且つ互いに対向する凹溝対を内周面に１対以上備えるものである請求項１乃至請求項４の何れか１項に記載のシャワー用機能付加容器。
【請求項６】
前記凹溝対は、前記収容部の内周面に備えられた前記通水方向に沿って伸びる複数本の凸条の相互間に形成されたものであり、それら凸条は前記収容部内の中間位置において通水方向における同一位置に備えられることによりそれらの端部で前記機能材を受ける機能材受け面を形成するものである請求項５のシャワー用機能付加容器。
【請求項７】
前記凹溝対の相互間に前記通水方向に沿って伸びる通水溝が備えられるものである請求項５または請求項６のシャワー用機能付加容器。
【請求項８】
前記凹溝対は、前記収容部の周方向において等間隔となるように２対が備えられているものである請求項５乃至請求項７の何れか１項に記載のシャワー用機能付加容器。
【請求項９】
前記収容部は、透明樹脂から成るものである請求項１乃至請求項８の何れか１項に記載のシャワー用機能付加容器。
【請求項１０】
前記収容部の前記一端および前記他端の少なくとも一方に、反対側の端部に向かい且つ相互に離間して突設された複数本の支柱と、それら複数本の支柱の頂部を連結する台部とから成る機能材支持部が備えられるものである請求項１乃至請求項９の何れか１項に記載のシャワー用機能付加容器。
【請求項１１】
前記支柱は周方向に等間隔で設けられた４本から成り、前記台部は十字状を成すものである請求項１０のシャワー用機能付加容器。
【請求項１２】
前記収容部は、前記ヘッド接続部との境界部がそのヘッド接続部に向かうに従って外径寸法が小さくなるように外周面の母線が曲線を成すものである請求項１乃至請求項１１の何れか１項に記載のシャワー用機能付加容器。
【請求項１３】
前記収容部は、外周面に凹凸が形成されたものである請求項１乃至請求項１１の何れか１項に記載のシャワー用付加機能容器。
【請求項１４】
前記凹凸は、前記収容部外周面の周方向に沿って形成された周状突起である請求項１３のシャワー用付加機能容器。
【請求項１５】
前記凹凸は、前記収容部外周面に軸心方向に沿って形成された凸条である請求項１３のシャワー用付加機能容器。
【考案の詳細な説明】
【技術分野】
【０００１】
本考案は、機能が付加された冷温水を吐出させるためにシャワーヘッドとシャワーホースとの間に装着される容器に関する。
【背景技術】
【０００２】
冷温水を利用して人の頭髪や体或いは動物の体を洗浄するに際しては、一般にシャワーが用いられる。シャワーに備えられるシャワーヘッドの先端には、ホースに比して大きい面積で設けられた吐出面に多数の小径孔が形成されており、それら多数の小径孔から、同一圧力を掛けられた冷温水が分散して吐出される。これにより、撒水範囲が広がり、当たりが柔らかくなり、或いは、細い流体の断続的衝突で効率的に汚れを除去できる等の作用が得られる。シャワーヘッドには使用目的に応じて種々のものがあり、例えば、吐出量を減らした節水型、手元で湯水を止められるストップ機能付き、太さや形状を変更して持ちやすくしたもの等が上げられる。
【０００３】
ところで、炭酸ガスを含む冷温水を吐出させるシャワーヘッドが知られている（例えば特許文献１を参照）。このシャワーヘッドは、一般的なシャワーヘッドに代えてシャワーホースの先端に取り付けて用いられるもので、吐出部または中間部に炭酸ガスマイクロバブル発生器が備えられている。炭酸ガスマイクロバブル発生器は、開閉機構を有して炭酸入浴錠剤を収容する炭酸入浴錠剤収容部を備え、その冷温水導入口側および吐出口側の少なくとも一方に炭酸入浴錠剤に直接当たる水量を調整するための通水制限板が設けられたものである。このような炭酸ガスマイクロバブル発生器によれば、収容されている炭酸入浴錠剤が導入口から流入した湯水で徐々に溶解されて吐出口から吐出されるので、炭酸ガスを含む冷温水のシャワーを利用でき、特に、炭酸入浴錠剤に直接当たる冷温水量を通水制限板によって調整できるため、炭酸ガス濃度を容易に調整できる。そのため、炭酸入浴錠剤が過度に早く溶けてしまうことを抑制して、適切な炭酸ガス濃度のシャワーを十分に長い時間利用できる利点がある。
【先行技術文献】
【特許文献】
【０００４】
【特許文献１】特開２０１６−１６３７８５号公報
【考案の概要】
【考案が解決しようとする課題】
【０００５】
しかしながら、前記特許文献１に記載の発明は、シャワーヘッドを専用品に取り替えるものである。そのため、節水目的、ストップ機能付き、或いは持ち易さ等を考慮してシャワーヘッドを選んでいた場合にも、炭酸ガスを含む冷温水シャワーを得るためにこれらの利点が失われることとなる問題があった。これは、炭酸ガスを含む冷温水シャワーを得る場合に限られず、水素水シャワーその他の種々の機能を付加した冷温水シャワーを得ようとする場合にも同様に生ずる。
【０００６】
本考案は、以上の事情を背景として為されたものであって、その目的は、炭酸ガスや水素水等の機能が付加されたシャワーを利用する場合にも、既存のシャワーヘッドをそのまま利用可能なシャワー用機能付加容器を提供することにある。
【課題を解決するための手段】
【０００７】
斯かる目的を達成するため、本考案のシャワー用機能付加容器の要旨とするところは、（ａ）所定の機能材を収容するための略筒状の収容部と、（ｂ）シャワーヘッドのホース側端部に接続するためにその収容部の一端側に備えられた略筒状のヘッド接続部と、（ｃ）シャワーホースの端部に接続するためにその収容部の他端側に備えられた略筒状のホース接続部とを有し、それらホース接続部とヘッド接続部との間に前記収容部内を経由する通水路が形成されていることにある。
【考案の効果】
【０００８】
このようにすれば、シャワー用機能付加容器は、所定の機能材を収容するための略筒状の収容部がその一端側および他端側にそれぞれヘッド接続部とホース接続部を備えると共に、ホース接続部とヘッド接続部との間に収容部を経由する通水路が形成されていることから、収容部に所定の機能材を収容すると共に、既存のシャワーヘッドとシャワーホースとの間に接続すれば、その機能材によって機能を付加された冷温水をシャワーヘッドから吐出させることができる。したがって、既存のシャワーヘッドをそのまま使用しながら、収容部に収容した機能材に応じた機能を付加された冷温水を利用できる利点がある。また、機能材を収容しないまま用いられる場合には、通常の冷温水を吐出させることができる。
【図面の簡単な説明】
【０００９】
【図１】本考案のシャワー用付加機能容器の全体を示す斜視図である。
【図２】図１のシャワー用付加機能容器を下部収容部側から見た斜視図である。
【図３】図１のシャワー用付加機能容器を上部収容部と下部収容部とに分割して示す斜視図である。
【図４】図３の上部収容部を角度を変えて内部を示す斜視図である。
【図５】図３の下部収容部を角度を変えて内部を示す斜視図である。
【図６】図１のシャワー用付加機能容器の内部構造を示す縦断面図である。
【図７】図１のシャワー用機能付加容器において、上部収容部と下部収容部との結合状態を説明するための部分断面図である。
【図８】図１のシャワー用付加機能容器が適用されるシャワーの全体を示す斜視図である。
【図９】図８のシャワーに図１のシャワー用付加機能容器を取り付けるに際して、シャワーヘッドに上部収容部を接続する方法を説明する斜視図である。
【図１０】図８のシャワーに図１のシャワー用付加機能容器を取り付けるに際して、シャワーホースに下部収容部を接続する方法を説明する斜視図である。
【図１１】図１のシャワー用付加機能容器が取り付けられた図８のシャワー全体を示す斜視図である。
【図１２】図８のシャワーに取り付けた図１のシャワー用付加機能容器に炭酸入浴錠剤を装填する方法を説明する斜視図である。
【図１３】図１のシャワー用機能付加容器に炭酸入浴錠剤に代えて装填される水素水セラミックボールカートリッジを示す斜視図である。
【図１４】図１３の水素水セラミックボールカートリッジの蓋を外した状態を示す斜視図である。
【考案を実施するための形態】
【００１０】
本考案の実施形態において、前記収容部は、分離可能な前記ヘッド接続部側の上部収容部と、前記ホース接続部側の下部収容部とから成り、それら上部収容部および下部収容部との結合を解除して前記所定の機能材を収容するものである。このようにすれば、シャワー用機能付加容器をシャワーヘッドおよびシャワーホースに接続したままで、上部収容部と下部収容部との結合を解除して分割するだけで、それらの間に機能材を収容することができる。これら上部収容部および下部収容部は、簡便に結合および分割できることが好ましく、例えば、互いに螺合させられるように構成することができる。
【００１１】
また、本考案の実施形態において、前記収容部は、前記ヘッド接続部および前記ホース接続部よりも大きい外径寸法を有するものである。このようにすれば、シャワーホースの内径寸法よりも十分に大きい機能材を収容することができる。
【００１２】
また、本考案の実施形態において、前記上部収容部および前記下部収容部は、その上部収容部のその下部収容部側の端部とその下部収容部のその上部収容部側の端部のうち一方の内周面に形成された周方向に沿って伸びる係合凸部と他方の外周面に形成された周方向に沿って伸びる係合溝とが係合することにより結合させられるものであり、それらの結合時に前記外周面に嵌め付けられた環状弾性部材が前記内周面との間で締め付けられるものである。このようにすれば、上部収容部と下部収容部とは、係合凸部と係合溝とを係合させるだけで容易に結合させることができ、その結合の際には環状弾性部材が外周面と内周面との間で締め付けられることでそれらの間に負荷を与えて結合力を高めるため、不用意に結合が解除されることが抑制される。
【００１３】
また、本考案の実施形態において、前記収容部は、前記ホース接続部から前記ヘッド接続部に向かう通水方向に沿って伸び且つ互いに対向する凹溝対を内周面に１対以上備えるものである。このようにすれば、前記機能材として、内周面の凹溝に嵌り込む厚さ寸法と凹溝対の相互間隔に概ね一致する直径とを備えた円板状または円柱状のものを用いることにより、凹溝対で機能材を保持することができるので、収容部内で機能材が自由に動くことが抑制される。このため、例えば、円板状の機能材をその径方向が通水方向となるように保持して、冷温水の流通抵抗が増大することを抑制し且つ機能材が溶解性の場合はその溶解速度を抑制することができる。
【００１４】
また、本考案の実施形態において、前記凹溝対は、前記収容部の内周面に備えられた前記通水方向に沿って伸びる複数本の凸条の相互間に形成されたものであり、それら凸条は前記収容部内の中間位置において通水方向における同一位置に備えられることによりそれらの端部で前記機能材を受ける機能材受け面を形成するものである。このようにすれば、円板状または円柱状の機能材が用いられる場合において、前記のように径方向が通水方向となる向きだけでなく、その軸心方向が通水方向となる向きに配置して使用することもできる。
【００１５】
また、本考案の実施形態において、前記シャワー用機能付加容器は、前記凹溝対の相互間に前記通水方向に沿って伸びる通水溝が備えられるものである。このようにすれば、機能材を収容した状態においても、通水溝が冷温水の流通を助けるので、十分な冷温水量のシャワーが得られる。
【００１６】
また、本考案の実施形態において、前記凹溝対は、前記収容部の周方向において等間隔となるように２対が備えられているものである。このようにすれば、収容部内に十字状に凹溝対が設けられていることから、１対だけ設けられている場合に比較して、円板状の機能材を収容する際に収容部の向きを合わせ易い利点がある。
【００１７】
また、本考案の実施形態において、前記収容部は、透明樹脂から成るものである。このようにすれば、内部に収容した機能材を容易に視認できるため、使用目的に応じた機能材が入っているか否かが容易に確認でき、また、水溶性の機能材を用いる場合にはその残量を使用開始前や使用中に容易に確認できる。
【００１８】
また、本考案の実施形態において、前記シャワー用機能付加容器は、前記収容部の前記一端および前記他端の少なくとも一方に、反対側の端部に向い且つ相互に離間して突設された複数本の支柱と、それら複数本の支柱の頂部を連結する台部とから成る機能材支持部が備えられるものである。このようにすれば、ホース接続部側から供給された冷温水は、相互に離間して突設されている複数本の支柱の間を通過できるが、収容部に収容された機能材は、機能材支持部で支持されることによりその収容部内に保持される。したがって、機能材が収容部からヘッド接続部或いはホース接続部を通ってシャワーヘッドやシャワーホースに流れ込むことが抑制され、延いては冷温水の通過を妨げることが抑制される。
【００１９】
また、本考案の実施形態において、前記支柱は周方向に等間隔で設けられた４本から成り、前記台部は十字状を成すものである。このようにすれば、十分な通水経路を確保すると共に機能材を確実に支持できる利点がある。
【００２０】
また、本考案の実施形態において、前記収容部は、前記ヘッド接続部との境界部がそのヘッド接続部に向かうに従って外径寸法が小さくなるように外周面の母線が曲線を成すものである。このようにすれば、収容部のヘッド接続部側の部分が曲面で構成されることから、収容部がシャワーヘッドの握り部よりも外径寸法が大きい場合にも、自然なグリップ感が得られる利点がある。
【００２１】
また、本考案の実施形態において、前記収容部は、外周面に凹凸が形成されたものである。このようにすれば、シャワーに取り付けて使用する際に、外周面の凹凸によって手の滑りが抑制される利点がある。前記凹凸は、前記収容部外周面の周方向に沿って形成された周状突起であってもよく、前記収容部外周面に軸心方向に沿って形成された凸条であっても良い。
【００２２】
また、本考案の実施形態において、前記収容部は、前記機能材を弾性的に保持するための弾性保持材を前記内周面に備えるものである。このようにすれば、機能材が弾性的に保持されるため、使用中に溶解して小さくなっていく場合にも、初期の位置に保持される期間が長くなり、小さくなった機能材がシャワーヘッド側に流れていくことが抑制される。
【００２３】
また、本考案の実施形態において、前記機能材は、円板状或いは円柱状の炭酸入浴錠剤である。このようにすれば、炭酸ガスを含む冷温水シャワーが得られる。炭酸入浴錠剤は、例えば冷温水で徐々に溶解する炭酸水素ナトリウム等の重炭酸塩、炭酸ナトリウム等の炭酸塩、クエン酸、DL-リンゴ酸等の有機酸、その他の成分を含むもので、全体が溶解し、或いは、非水溶性の固形分を残して溶解するものを用い得る。全体が溶解する場合には、何ら残渣が生じない利点があり、非水溶性の固形分が機能材の骨格を形成する場合には重炭酸塩等の成分が溶け終わるまで機能材が収容部内に確実に留まる利点がある。
【００２４】
また、本考案の実施形態において、前記機能材は、円板状或いは円柱状を成して内部を冷温水が通過可能なボール容器内に多数の水素水セラミックボールを収容したものである。このようにすれば、セラミックボールに触れた冷温水が水素を含むものと成るので、水素水シャワーが得られる。マイナスイオン、遠赤外線、ミネラル付加等の効果も得られる。前記ボール容器は、例えば、円板状或いは円柱状の上面および下面に多数の通水孔を備えたもので、その軸心方向が通水方向となるように機能付加容器内に収容される。なお、上記水素水セラミックボールは、例えば、ゼオライトから成るもの或いはゼオライトに種々の添加剤を加えたものが用いられる。本考案のシャワー用機能付加容器に用いられる機能材には、上述したように、炭酸入浴錠剤のような全体或いは大部分が冷温水に溶解するものと、水素水セラミックボールを収容したもののような溶解することなく冷温水に機能を付加するものとが含まれる。
【００２５】
また、本考案の実施形態において、前記機能材は、カルキ抜き・塩素除去を目的とするビタミン剤を固形化したものであっても良い。
【００２６】
以下、本考案の一実施例を図面を参照して詳細に説明する。なお、以下の実施例において図は適宜簡略化或いは変形されており、各部の寸法比および形状等は必ずしも正確に描かれていない。
【実施例１】
【００２７】
図１、図２は、本考案の一実施例のシャワー用機能付加容器１０の全体を示す斜視図である。これらの図において、シャワー用機能付加容器１０は、中間部に向かうに従って外径寸法が大きくなる略円筒状（すなわち紡錘形円筒状）を成すものであり、全体がアクリル樹脂等の透明樹脂で構成されており、外側から内部状態を容易に見ることができるようになっている。
【００２８】
上記のシャワー用機能付加容器１０は、後述するシャワーヘッド７２に接続するために一端に設けられた略筒状のヘッド接続部１２と、後述するシャワーホース７４に接続するために他端に設けられた略筒状のホース接続部１４とを備えている。上記のヘッド接続部１２には流出口１６が形成されると共に内周面に雌ねじが形成され、ホース接続部１４には流入口１８が形成されると共に雄ねじが形成されている。シャワー用機能付加容器１０は全体が中空の容器になっており、上記流入口１８と流出口１６との間に容器内部を経由する通水路が形成されている。
【００２９】
また、上記のシャワー用機能付加容器１０は、前記ヘッド接続部１２を備えた上部収容部２０と、前記ホース接続部１４を備えた下部収容部２２とから構成されている。図３にこれらを分離した状態で示す。上部収容部２０は、下部収容部２２と連結するための環状の下部収容部連結部２４を流出口１６とは反対側に備え、下部収容部２２は、上部収容部２０と連結するための上部収容部連結部２６を流入口１８とは反対側に備えている。
【００３０】
上記上部収容部２０の外周面の下部収容部連結部２４の近傍には、周方向に沿って、周状突起２７が備えられている。周状突起２７は、外周面に小さな凹凸を形成しており、シャワー使用時等において滑り防止の機能を果たす。
【００３１】
上記下部収容部２２は、上部収容部連結部２６の外径寸法が下部収容部連結部２４の内径寸法よりも僅かに小さくされており、その上部収容部連結部２６側の開口端よりも流入口１８側に所定距離だけ離れた位置には、外周面から径方向に張り出した鍔部２８が備えられている。鍔部２８は、下部収容部連結部２４の外径寸法と略同一の外径寸法に形成されている。鍔部２８よりもホース接続部１４側の外周面には、通水方向に沿って伸びる凸条２９が形成されることにより、その外周面全体に凹凸が形成されている。また、鍔部２８よりも開口端側には、その鍔部２８よりも僅かに隔てられた位置に周方向に沿って伸びる凸条３０が形成されることにより、その凸条３０と鍔部２８との間に係合溝３２が形成されている。凸条３０および係合溝３２は、周方向における１／４弱程度の長さ寸法で、互いに反対側の２箇所に設けられている。また、凸条３０よりも開口端側の外周面には、周溝３４が形成されており、この周溝３４にゴム系材料から成るＯリング３６を嵌め付けられるようになっている。なお、図３において、３８は、ホース接続部１４に嵌め付けられるホース接続用のＯリングである。
【００３２】
上記の下部収容部２２の内周面には、流入口１８からその開口端である下部収容部流出口４０に向かう通水方向に沿って伸びる４本の凹溝４２が周方向に等間隔で備えられている。すなわち、４本の凹溝４２は互い対向する２つの凹溝対から成る。下部収容部２２の内周面には、通水方向に沿って伸びる８本の凸条４４が通水方向における同一範囲で形成されているが、それらの周方向における相互間隔が比較的大きい大間隔と、比較的小さい小間隔とが交互になるように配置されている。上記の凹溝４２は、大間隔となる凸条４４の相互間に形成されている。また、小間隔となる凸条４４の相互間には通水方向に沿って伸びる４本の通水溝４６が形成されている。
【００３３】
また、図４に示すように、前記の上部収容部２０の流出口１６とは反対側の開口端である上部収容部流入口４８には、上部収容部連結部２６の内周面に周方向に沿って伸びる２本の係合凸部５０が備えられている。係合凸部５０は、周方向における１／４弱程度の長さ寸法で、互いに反対側の２箇所に設けられている。この係合凸部５０の通水方向における幅寸法は、前記係合溝３２の幅寸法よりも僅かに小さくなっている。
【００３４】
また、上部収容部２０の内部には、機能材支持部５２が備えられている。機能材支持部５２は、ヘッド接続部１２側から上部収容部流入口４８側に向かって突設された４本の支柱５４と、それら支柱５４の頂部を相互に連結する十字状の台部５６とから構成されている。なお、上部収容部２０の外周面には、上部収容部２０を回転させる際の滑り止めとなる多数の突起５８が設けられている。
【００３５】
また、図５に、前記下部収容部２２を図３とは異なる角度から示すように、その内部には、上記上部収容部２０と同様に機能材支持部６０が備えられている。この機能材支持部５８も、ホース接続部１４側から下部収容部流出口４０側に向かって突設された４本の支柱６２と、それら支柱６２の頂部を相互に連結する十字状の台部６４とから構成されている。
【００３６】
図６は、シャワー用機能付加容器１０の断面構造を説明する図である。上部収容部２０および下部収容部２２の間には、機能材を収容するための略筒状の機能材室６６が形成されている。本実施例においては、この機能材室６６が請求の範囲における収容部に相当する。機能材室６６内には、前述した凹溝４２および通水溝４６が備えられると共に、ヘッド接続部１２側およびホース接続部１４側のそれぞれに機能材支持部５２，６０が備えられている。後述する炭酸入浴錠剤９０や水素水カートリッジ９２は、この機能材室６６内に保持される。
【００３７】
このように構成されたシャワー用付加機能容器１０は、上部収容部２０の下部収容部連結部２４に下部収容部２２の上部収容部連結部２６を嵌め入れて、互いに逆方向に捻ることにより、Ｏリング３６を両者の間で僅かに押し潰しつつ、係合凸部５０が係合溝３２に入り込むので、圧迫されたそのＯリング３６の反発力によって上部収容部２０および下部収容部２２が液密に連結される。すなわち、流入口１８を通って流入した冷温水が、機能材室６６を経由して流出口１６から流出する冷温水流通経路が形成される。
【００３８】
図７には、上部収容部２０と下部収容部２２との連結部を拡大して示す。上部収容部２０の係合凸部５０は、下部収容部２２の鍔部２８と凸条３０との間に形成された係合溝３２内に嵌り込むことで図の左右方向すなわち通水方向と、径方向における動きが制限されている。凸条３０に隣接して設けられた前記周溝３４に嵌め付けられたＯリング３６は、上部収容部２０の内周面とその周溝３４との間で圧迫されており、その反発力によって上部収容部２０と下部収容部２２とがしっかり噛み合い、液密に連結されている。
【００３９】
図８は、前記シャワー用付加機能容器１０が適用されるシャワー７０の全体を示す斜視図である。シャワー７０は、シャワーヘッド７２と、これに接続されたシャワーホース７４とから構成されている。シャワーヘッド７２の一端には多数の孔を有するノズル７６が備えられており、その反対側の他端に前記シャワーホース７４が接続される。シャワーホース７４はシャワーヘッド７２の雄ねじ部７８（後述する図９参照）に接続金具８０が螺合されることで接続されており、図示しない一端は、冷温水を供給するための水道管或いは水栓等に接続されており、シャワーホース７４を通して供給された冷温水がシャワーヘッド７２のノズル７６から吐出されるようになっている。
【００４０】
上記のシャワー７０に本実施例のシャワー用機能付加容器１０を取り付ける方法を説明する。シャワーヘッド７２からシャワーホース７４を取り外し、図９に示すように、上部収容部２０を前記のヘッド接続部１２においてシャワーヘッド７２の雄ねじ部７８に螺合させることで、上部収容部２０がシャワーヘッド７２に取り付けられる。上部収容部２０は、ヘッド接続部１２側に向かうに従って外径寸法が小さくなるようにその外周面の母線が曲線を成すことから、滑らかな外周面を有するため、このように取り付けられた状態において、シャワーヘッド７２を握る手が当たっても違和感が生じないようになっている。一方、図１０に示すように、下部収容部２２を前記のホース接続部１４においてシャワーホース７４の接続金具８０に螺合させることで、下部収容部２２がシャワーホース７４に取り付けられる。このようにしてシャワーヘッド７２およびシャワーホース７４にそれぞれ取り付けられた上部収容部２０と下部収容部２２とを、前述したように、下部収容部連結部２４に上部収容部連結部２６を嵌め入れて互いに逆方向に捻ることで連結すると、取り付けが完了する。図１１に完了状態を示す。
【００４１】
上記のようにシャワー用機能付加容器１０を取り付けたシャワー７０で炭酸シャワーを利用する方法を説明する。図１２に示すように、まず、上部収容部２０と下部収容部２２とを、連結時とは反対方向に捻ることでこれらの連結を解除し、機能材室６６を開放する。次いで、下部収容部２２内に炭酸入浴錠剤９０を装填する。炭酸入浴錠剤９０は、例えば、炭酸水素ナトリウム、炭酸ナトリウム、クエン酸、DL-リンゴ酸と、その他の少量の添加物等を含む水溶性のもので、直径30mm程度、厚さ10mm程度の円板状を成す。このような炭酸入浴錠剤９０を、例えば、径方向が通水方向となる向きで、前記の凹溝４２、４２に嵌め入れる。凹溝４２は、通常用いられる炭酸入浴錠剤９０の厚さ寸法よりも僅かに大きい幅寸法で形成されており、炭酸入浴錠剤９０が概ね下部収容部２２内に納まることとなる。凹溝４２は、２対（４本）が設けられているが、何れに嵌め入れてもよい。凹溝４２を形成する凸条４４は、このように炭酸入浴錠剤９０を装填する際のガイドとして機能する。
【００４２】
なお、上記のように炭酸入浴錠剤９０を装填した状態において、その側方には冷温水の通路を十分に確保できているが、本実施例のシャワー用機能付加容器１０においては、更に、凸条４４、４４間に通水溝４６が形成されているため、この通水溝４６も冷温水の通路として機能する。この機能は、特に、炭酸入浴錠剤９０が大きい使用初期において有効である。したがって、シャワー用機能付加容器１０を取り付けて炭酸入浴錠剤９０を装填したことによってシャワー水量が減じられることが抑制されている。
【００４３】
また、炭酸入浴錠剤９０は、上記のように装填されると前記機能材支持部６０によって支持され、上部収容部２０が嵌め付けられた状態においては、その機能材支持部５２でも上部収容部２０側から支持されることになる。そのため、炭酸入浴錠剤９０の動きが制限されるので、使用中に動いて破損して溶解が早まることが抑制される。しかも、機能材支持部５２，６０は、前述したように支柱５４，６２の上に十字状の台部５６，６４が備えられた形状を有することから、十分な通水経路が確保される。すなわち、通水性を阻害することなく、炭酸入浴錠剤９０を保持できるようになっている。
【００４４】
また、炭酸入浴錠剤９０は、図１２に示すような径方向が通水方向となる向きではなく、厚み方向が通水方向となる向きで装填することもできる。前述したように、４本の凸条４４は通水方向の同一範囲に形成されているため、上部収容部連結部２６側のその端部は、通水方向における同一位置にある。そのため、厚み方向が通水方向となる向きで装填すると、４本の凸条４４で炭酸入浴錠剤９０が受けられることになる。本実施例においては、上記凸条４４の端部が機能材受け面を構成している。炭酸入浴錠剤９０の直径寸法が下部収容部２２の上部収容部連結部２６における内径寸法よりも十分に小さい場合には、このように装填しても冷温水が十分に通過できるため、シャワー７０の利用には何ら支障がない。したがって、シャワー用機能付加容器１０に装填できる炭酸入浴錠剤９０は、その寸法形状の範囲が比較的広い利点がある。
【００４５】
上述したようにしてシャワー用機能付加容器１０内に炭酸入浴錠剤９０を装填し、通常と同様にしてシャワー７０を使用すると、シャワーホース７４を通して供給された冷温水によってその炭酸入浴錠剤９０が徐々に溶解され、炭酸ガスが発生する。これにより炭酸ガスを含む冷温水がシャワーヘッド７２に送られ、ノズル７６から吐出される。このようにして、現在のシャワーヘッド７２をそのまま使用して、炭酸水シャワーを得ることができる。また、シャワー用機能付加容器１０は、上部収容部２０と下部収容部２２とを捻るだけで簡単に分離して、その内部の機能材室６６を開放できるため、炭酸入浴錠剤９０を容易に装填できる利点がある。
【００４６】
図１３は、前記実施例のシャワー用機能付加容器１０に、前記炭酸入浴錠剤９０に代えて装填できる水素水カートリッジ９２を示す図である。図１３において、水素水カートリッジ９２は、大径部とそれに続く小径部とを有する段付き円柱形状を成すもので、容器９４の内部に多数の水素水セラミックボール９６が充填されている。図１４に示されるように、容器９４の大径部の小径部とは反対側の一端には、蓋９８が脱着可能に嵌め付けられている。容器９４および蓋９６は、何れも半透明或いは透明のアクリル樹脂等から成るものであるが、不透明材料で構成することもできる。
【００４７】
上記の水素水セラミックボール９６は、例えば、ゼオライト等から成るもので、これに触れた冷温水は還元されて水素を発生させ、或いは、マイナスイオン、遠赤外線等を発生させ、更にはミネラル分等も含むものとなる。
【００４８】
また、上記の蓋９８は、全体に厚み方向に貫通する多数の孔１００が設けられたもので、水素水セラミックボール９６は通過できないが、冷温水は容易に通過できるようになっている。図示しないが、容器９４の底部にも同様に多数の貫通孔が設けられており、その底部の貫通孔から流入した冷温水が、容器９４内を通って、蓋９８の孔１００から流出させられる。
【００４９】
このように構成された水素水カートリッジ９２は、軸心方向が通水方向となる向きで、小径部側から前記の下部収容部２２に装填される。小径部の外径寸法は、下部収容部２２の対向する凸条４４、４４の相互間隔よりも小さくされており、大径部は下部収容部２２の下部収容部流出口４０の内径寸法よりも小さくされており、小径部の全体と大径部の大部分が下部収容部２２内に納まるようになっている。このように納められた状態で、上部収容部２０を嵌め付けて、前記炭酸入浴錠剤９０を装填した場合と同様にシャワー７０を利用すると、水素水シャワーを容易に得ることができる。
【００５０】
以上、本考案を図面を参照して詳細に説明したが、本考案は更に別の態様でも実施でき、その主旨を逸脱しない範囲で種々変更を加え得るものである。
【符号の説明】
【００５１】
１０  シャワー用機能付加容器、１２  ヘッド接続部、１４  ホース接続部、１６  流出口、１８  流入口、２０  上部収容部、２２  下部収容部、４０  下部収容部流出口、４８  上部収容部流入口、６６  機能材室、７０  シャワー、７２  シャワーヘッド、７４  シャワーホース、７６  ノズル、９０  炭酸入浴錠剤
【図１】
0003220073.tif 000003
【図２】
0003220073.tif 000004
【図３】
0003220073.tif 000005
【図４】
0003220073.tif 000006
【図５】
0003220073.tif 000007
【図６】
0003220073.tif 000008
【図７】
0003220073.tif 000009
【図８】
0003220073.tif 000010
【図９】
0003220073.tif 000011
【図１０】
0003220073.tif 000012
【図１１】
0003220073.tif 000013
【図１２】
0003220073.tif 000014
【図１３】
0003220073.tif 000015
【図１４】
0003220073.tif 000016
【手続補正書】
【提出日】平成30年12月6日(2018.12.6)
【手続補正１】
【補正対象書類名】実用新案登録請求の範囲
【補正対象項目名】請求項４
【補正方法】変更
【補正の内容】
【請求項４】
前記上部収容部および前記下部収容部は、その上部収容部のその下部収容部側の端部とその下部収容部のその上部収容部側の端部のうち一方の内周面に形成された周方向に沿って伸びる係合凸部と他方の外周面に形成された周方向に沿って伸びる係合溝とが係合することにより結合させられるものであり、それらの結合時に前記外周面に嵌め付けられた環状弾性部材が前記内周面との間で締め付けられるものである請求項２のシャワー用機能付加容器。